(57)【要約】【課題】  横からの覗き見に対して高い防止効果を、ＣＰＵへの負担が少なく、追加コストも不要であり、さらに視野角制御のオン／オフも可能とする。【解決手段】  ディスプレイ装置１は、所定の視野角特性を有する液晶パネル２６を有する。そして、ディスプレイ装置１は、液晶パネル２６の視野角特性に応じた所定のガンマカーブ変換用の変換テーブルを用いて、オリジナル画像データに対して所定のガンマカーブ変換を施す。また、ディスプレイ装置１は、液晶パネル２６の視野角特性に応じた所定の斜め視用画像データを、ガンマカーブ変換後の画像データに組み合わせて合成画像データを生成し、その合成画像データを液晶パネル２６に表示させる。【選択図】  図１
2013156594.tif 000002
【特許請求の範囲】
【請求項１】
所定の視野角特性を有する表示パネル部と、
前記表示パネル部に表示するオリジナル画像データに対し、低階調側の輝度差は変換前後において略変化しない一方で、高階調側の輝度差は変換前よりも変換後の方が小さくなるように、当該オリジナル画像データを変換する画像データ変換部と、
前記表示パネル部が有する所定の視野角特性に応じた所定の斜め視用画像データを保持するデータ保持部と、
前記画像データ変換部によって変換された画像データに、前記所定の斜め視用画像データを組み合わせた合成画像データを生成する画像合成部とを有し、
前記画像合成部による合成画像データを前記表示パネル部へ表示するディスプレイ装置。
【発明の詳細な説明】
【技術分野】
【０００１】
本発明は、液晶ディスプレイ（ＬＣＤ：Liquid Crystal Display）を備えたディスプレイ装置、液晶ディスプレイの視野角制御方法、視野角制御プログラム、および、携帯端末に関する。
【背景技術】
【０００２】
従来より、例えば携帯電話端末の液晶ディスプレイに表示されている情報等を、横から他人に覗き見されることを防止するための手法として、前記液晶ディスプレイの視野角を制御するような手法が知られている。
【０００３】
当該液晶ディスプレイの視野角制御の方法としては、従来より、下記の第一の視野角制御方法乃至第三の視野角制御方法のような三つの方法が知られている。
【０００４】
第一の視野角制御方法は、非特許文献１に開示されているように、映像表示用の液晶ディスプレイの上にさらに視野角制御用の液晶ディスプレイを載せて、その視野角制御用の液晶ディスプレイにより視野角を制御する方法である。
【０００５】
第二の視野角制御方法は、非特許文献２に開示されているように、液晶ディスプレイに表示するデータのコントラスト値を低下させる方法である。
【０００６】
第三の視野角制御方法は、非特許文献３に開示されているように、液晶ディスプレイに表示するデータを正面視の画像データと斜め視の画像データを混在させたデータとする方法である。
【０００７】
また従来の視野角制御方法としては、特開２００７−１７９８８号の公開特許公報（特許文献１）や特開２００９−６４０２５号の公開特許公報（特許文献２）に開示されている技術も知られている。
【０００８】
前記特許文献１には、空間光変調により画像を表示する液晶表示パネルと、前記液晶表示パネルを用いて表示される画像が広視野角から視認可能な第１モードによる第１配置と前記液晶表示パネルを用いて表示される画像が狭視野角のみから視認可能な第２モードによる第２配置との間で液晶を切り替える回路を配備し、パブリックおよびプライベートモードの面内切り替えを行うような視野角制御方法が開示されている。
【０００９】
また、前記特許文献２には、表示パネルとして、空間光変調により画像を表示する液晶表示パネルを用い、当該液晶表示パネルを用いて表示される画像が広視野角から視認可能な第１モードによる第１配置と、当該液晶表示パネルを用いて表示される画像が狭視野角のみから視認可能な第２モードによる第２配置との切り替えを液晶において行う回路により表示装置を構成し、パブリックおよびプライベートモードの面内切り替えを達成するような視野角制御方法が開示されている。
【先行技術文献】
【非特許文献】
【００１０】
【非特許文献１】［２０１０年７月１日検索］、インターネット＜ＵＲＬ：http://www.sharp.co.jp/products/device/about/lcd/veil/index.html＞
【非特許文献２】［２０１０年７月１日検索］、インターネット＜ＵＲＬ：http://www.n-keitai.com/n703id/fc.html＞
【非特許文献３】［２０１０年７月１日検索］、インターネット＜ＵＲＬ：http://www.sharp.co.jp/products/sb831sh/text/veilview.html＞
【特許文献】
【００１１】
【特許文献１】特開２００７−１７９８８号公報（図１）
【特許文献２】特開２００９−６４０２５号公報（図１）
【発明の概要】
【発明が解決しようとする課題】
【００１２】
しかしながら、前述した第一の視野角制御方法は、例えば左右方向のような一方向しか視野角制御ができない。また、第一の視野角制御方法は、視野角制御用の液晶ディスプレイを別途一枚追加しなければならないため、コストが大きくなり、また、メカ的な厚みも増してしまう。
【００１３】
前述した第二の視野角制御方法は、表示画像のコントラストが低下するため、例えば正面からの画像が白っぽくなってしまい見え難くなってしまう。また、第二の視野角制御方法は、斜めから見た場合の制御効果が薄い。
【００１４】
前述した第三の視野角制御方法は、液晶ディスプレイに表示する画像データを作成する処理が複雑になり、画像の解像度が高くなればなるほど演算処理が膨大になり、ＣＰＵ等に負担がかかる。なお、前記特許文献１や特許文献２に記載の技術も当該第三の視野角制御方法と同様に、画像処理が複雑であり、ＣＰＵ等に負担がかかる。
【００１５】
本発明は、このような実情に鑑みて提案されたものであり、横からの覗き見に対して高い防止効果があり、また、ＣＰＵへの負担が少なく、追加コストも不要なディスプレイ装置、視野角制御方法、視野角制御プログラム、および、携帯端末を提供することを目的とする。
【課題を解決するための手段】
【００１６】
本発明のディスプレイ装置は、所定の視野角特性を有する表示パネル部と、表示パネル部が有する所定の視野角特性に応じた所定の斜め視用画像データを保持するデータ保持部と、画像データ変換部と、画像合成部とを備えている。画像データ変換部は、表示パネル部に表示するオリジナル画像データに対し、低階調側の輝度差は変換前後において略変化しない一方で、高階調側の輝度差は変換前よりも変換後の方が小さくなるように、当該オリジナル画像データを変換する。また、画像合成部は、画像データ変換部によって変換された画像データに、所定の斜め視用画像データを組み合わせた合成画像データを生成する。そして、本発明のディスプレイ装置は、画像合成部による合成画像データを表示パネル部へ表示させる。これにより、本発明のディスプレイ装置は、前述した課題を解決する。
【００１７】
また、本発明のディスプレイ装置は、所定の視野角特性を有する表示パネル部と、表示パネル部が有する所定の視野角特性に応じた所定のガンマカーブ変換用の変換テーブルと所定の斜め視用画像データとを保持するデータ・テーブル保持部とを備えている。さらに、本発明のディスプレイ装置は、表示パネル部に表示するオリジナル画像データに対し、変換テーブルを用いて所定のガンマカーブ変換を施すガンマカーブ変換部と、そのガンマカーブ変換後の画像データに所定の斜め視用画像データを組み合わせた合成画像データを生成する画像合成部とを有し、その合成画像データを表示パネル部へ表示させる。これにより、本発明のディスプレイ装置は、前述した課題を解決する。
【００１８】
本発明の視野角制御方法は、所定の視野角特性を有する表示パネル部を備えたディスプレイ装置の視野角制御方法である。そして、本発明の視野角制御方法は、表示パネル部に表示するオリジナル画像データに対し、低階調側の輝度差は変換前後において略変化しない一方で、高階調側の輝度差は変換前よりも変換後の方が小さくなるように、当該オリジナル画像データを変換するステップと、その変換後の画像データに、表示パネル部が有する所定の視野角特性に応じた所定の斜め視要画像データを組み合わせて合成画像データを生成するステップと、その合成画像データを表示パネル部が表示するステップとを有する。これにより、本発明の視野角制御方法は、前述した課題を解決する。
【００１９】
また、本発明の視野角制御方法は、所定の視野角特性を有する表示パネル部を備えたディスプレイ装置の視野角制御方法である。そして、本発明の視野角制御方法は、表示パネル部の視野角特性に応じた所定のガンマカーブ変換用の変換テーブルを用いて、オリジナル画像データに対して所定のガンマカーブ変換を施すステップと、そのガンマカーブ変換後の画像データに、表示パネルの視野角特性に応じた所定の斜め視用画像データを組み合わせて合成画像データを生成するステップと、その合成画像データを表示パネル部へ表示させるステップとを有する。これにより、本発明の視野角制御方法は、前述した課題を解決する。
【００２０】
本発明の視野角制御プログラムは、所定の視野角特性を有する表示パネル部を備えたディスプレイ装置の視野角制御プログラムである。そして、視野角制御プログラムは、表示パネル部に表示するオリジナル画像データに対し、低階調側の輝度差は変換前後において略変化しない一方で、高階調側の輝度差は変換前よりも変換後の方が小さくなるように、そのオリジナル画像データを変換する画像データ変換部と、その変換後の画像データに、表示パネル部が有する所定の視野角特性に応じた所定の斜め視要画像データを組み合わせて合成画像データを生成する画像合成部と、その合成画像データを表示パネル部へ表示させる表示制御部として、ディスプレイ装置を動作させる。これにより、本発明の視野角制御プログラムは、前述した課題を解決する。
【００２１】
また、本発明の視野角制御プログラムは、所定の視野角特性を有する表示パネル部を備えたディスプレイ装置の視野角制御プログラムである。そして、視野角制御プログラムは、表示パネル部の視野角特性に応じた所定のガンマカーブ変換用の変換テーブルを用いて、オリジナル画像データに対して所定のガンマカーブ変換を施すガンマカーブ変換部と、そのガンマカーブ変換後の画像データに、表示パネル部の視野角特性に応じた所定の斜め視用画像データを組み合わせて合成画像データを生成する画像合成部と、その合成画像データを表示パネル部へ表示させる表示制御部として、ディスプレイ装置を動作させる。これにより、本発明の視野角制御プログラムは、前述した課題を解決する。
【００２２】
本発明の本発明の携帯端末は、所定の視野角特性を有する表示パネル部と、表示パネル部が有する所定の視野角特性に応じた所定の斜め視用画像データを保持するデータ保持部と、画像データ変換部と、画像合成部とを備えている。画像データ変換部は、表示パネル部に表示するオリジナル画像データに対し、低階調側の輝度差は変換前後において略変化しない一方で、高階調側の輝度差は変換前よりも変換後の方が小さくなるように、当該オリジナル画像データを変換する。また、画像合成部は、その変換後の画像データに、所定の斜め視用画像データを組み合わせた合成画像データを生成する。そして、本発明の携帯端末は、画像合成部による合成画像データを表示パネル部へ表示させる。これにより、本発明の携帯端末は、前述した課題を解決する。
【００２３】
また、本発明の携帯端末は、所定の視野角特性を有する表示パネル部と、表示パネル部の視野角特性に応じた所定のガンマカーブ変換用の変換テーブルと所定の斜め視用画像データとを保持するデータ・テーブル保持部とを備えている。さらに、本発明の携帯端末は、オリジナル画像データに対し、変換テーブルを用いて所定のガンマカーブ変換を施すガンマカーブ変換部と、そのガンマカーブ変換後の画像データに、所定の斜め視用画像データを組み合わせた合成画像データを生成する画像合成部とを有し、その合成画像データを表示パネル部へ表示させる。これにより、本発明の携帯端末は、前述した課題を解決する。
【００２４】
ここで、本発明において、所定の斜め視用画像データは、所定の階調範囲内のデータのみからなるモノクロ画像であり、例えば、画像データが０階調から２５５階調まで取り得る場合、所定の階調範囲は０階調〜３０階調からなる。
【００２５】
また、本発明において、画像の１ピクセルが第一から第三の三つのサブピクセルにより構成されている場合、画像合成部は、画像データ変換部による変換後の画像データと所定の斜め視用画像データを１サブピクセル毎に交互に組み合わせて合成画像データを生成する。若しくは、画像合成部は、画像データ変換部による変換後の画像データと所定の斜め視用画像データを１ピクセル毎に交互に組み合わせて合成画像データを生成する。
【００２６】
すなわち、本発明によれば、画像データ変換部による変換後の画像データに対し、階調範囲が０階調〜３０階調となされた所定の斜め視用画像データを、１サブピクセル毎若しくは１ピクセル毎に交互に組み合わせた合成画像データを表示させるようにしている。このため、本発明によれば、正面視の画像は略々画質劣化がない一方で、斜め視画像は非常に見難いものとなる。
【００２７】
また本発明において、変換テーブルは、表示パネル部に対する斜め視について、低階調側の輝度差がガンマカーブ変換前後で略々変化せず、高階調側の輝度差がガンマカーブ変換前よりもガンマカーブ変換後の方が小さくなる階調値と輝度値の対応テーブルからなる。すなわち本発明によれば、表示パネル部の視野角特性に応じたガンマカーブ変換を変換テーブルを用いて行う。このため、本発明によれば、ガンマカーブ変換のための演算が不要になる。
【発明の効果】
【００２８】
本発明は、所定の視野角特性を有する表示パネル部に表示したいオリジナル画像データに対し、低階調側の輝度差は変換前後において略変化しない一方で、高階調側の輝度差は変換前よりも変換後の方が小さくなるようにデータ変換を施し、さらに、表示パネルの視野角特性に応じた所定の斜め視用画像データを組み合わせて合成した合成画像データを、表示パネル部へ表示させている。これにより、本発明においては、ＣＰＵへ負担をかけたり、追加コストを要することなく、横からの覗き見に対して高い防止効果を得ることができる。
【００２９】
また、本発明は、表示パネル部の視野角特性に応じた所定のガンマカーブ変換用の変換テーブルを用いて、オリジナル画像データに対して所定のガンマカーブ変換を施し、そのガンマカーブ変換後の画像データに、表示パネルの視野角特性に応じた所定の斜め視用画像データを組み合わせて合成した合成画像データを、表示パネル部へ表示させている。これにより、本発明においては、ＣＰＵへ負担をかけたり、追加コストを要することなく、横からの覗き見に対して高い防止効果を得ることができる。
【図面の簡単な説明】
【００３０】
【図１】本発明実施形態のディスプレイ装置の主要部の概略構成を示すブロック図である。
【図２】ＶＡタイプの液晶パネルにおける輝度のガンマカーブを表すグラブである。
【図３】狭視野角モードの時に、本実施形態のディスプレイ装置により行われるガンマカーブ変換処理と斜め視用画像データの合成処理による画像データの遷移の様子を説明するための図である。
【図４】本実施形態のディスプレイ装置が狭視野角モードとなされている時の正面視画像と斜め視画像の説明に用いる図である。
【図５】本実施形態のディスプレイ装置が広視野角モードとなされている時の正面視画像と斜め視画像の説明に用いる図である。
【図６】ＶＡタイプの液晶パネルが備えているガンマカーブと、所定のガンマカーブ変換演算後のガンマカーブとを示すグラフである。
【図７】狭視野角モード時の階調と広視野角モード時の階調の説明に用いるグラフである。
【図８】ディスプレイ装置の液晶パネルにおける通常の画素配列の説明に用いる図である。
【図９】本実施形態の斜め視用画像データに対応した画素配列の説明に用いる図である。
【図１０】ガンマカーブ変換処理後の画像データと斜め視用画像データの第一の合成処理例として、１サブピクセル毎にガンマカーブ変換処理後の画像データと斜め視用画像データを組み合わせた時の合成画像データに対応した画素配列の説明に用いる図である。
【図１１】ガンマカーブ変換処理後の画像データと斜め視用画像データの第二の合成処理例として、１ピクセル毎にガンマカーブ変換処理後の画像データと斜め視用画像データを組み合わせた時の合成画像データに対応した画素配列の説明に用いる図である。
【図１２】本実施形態のディスプレイ装置を備えた携帯電話端末の概略的な内部構成例を示すブロック図である。
【図１３】本実施形態の携帯電話端末が取得した視野角制御用アプリケーションプログラムを制御・演算部が実行する際の処理の流れを示すフローチャートである。
【発明を実施するための形態】
【００３１】
以下、図面を参照しながら、本発明の一実施形態について説明する。
【００３２】
［主要構成］
図１には、本発明実施形態のディスプレイ装置１の主要部の概略構成を示す。なお、本実施形態のディスプレイ装置１は、例えば、携帯電話端末、ＰＤＡ（Personal Digital Assistant）やノート型パーソナルコンピュータ、携帯ゲーム機、携帯型デジタルテレビジョン受信機、携帯ナビゲーション端末などのような様々な機器のディスプレイユニットとして使用可能である。
【００３３】
この図１において、本実施形態のディスプレイ装置１は、主要な構成としてＣＰＵ部１０、ディスプレイコントロール部１１、ディスプレイ部１２を備えている。なお、本実施形態のディスプレイ装置１は、例えば電源ユニットや操作ユニット、外部通信ユニットなど、一般的な装置に搭載されている他の構成も備えているが、それらの図示と説明は省略する。
【００３４】
ＣＰＵ１０部は、前記ディスプレイ部１２の液晶パネル２６に表示される画像データと、前記ディスプレイ部１２のＬＣＤ（Liquid Crystal Display）ドライバ駆動制御信号とを生成して、ディスプレイコントロール部１２へ出力する。また、ＣＰＵ部１０は、ＬＥＤ（Light Emitting Diode）電流調整信号を生成して、ディスプレイコントロール部１２のＬＥＤドライバ２３へ出力する。
【００３５】
ディスプレイコントロール部１２は、ＬＣＤコントローラ２２とＬＥＤドライバ２３とを有して構成されている。前記ＬＣＤコントローラ２２は、前記ＣＰＵ部１０から供給された画像データを後段のディスプレイ部１２のＬＣＤドライバ２４へ出力する。また、ＬＣＤコントローラ２２は、前記ＣＰＵ部１０から供給されたＬＣＤドライバ駆動制御信号を基にＬＣＤ駆動信号を生成し、そのＬＣＤ駆動信号を前記ＬＣＤドライバ２４へ出力する。前記ＬＥＤドライバ２３は、前記ＣＰＵ部１０から供給されたＬＥＤ電流調整信号を基にＬＥＤ駆動電流を生成し、そのＬＥＤ駆動電流を後段のディスプレイ部１２のＬＥＤ２５へ出力する。
【００３６】
ディスプレイ部１２は、液晶パネル２６と、ＬＣＤドライバ２４と、ＬＥＤ２５とを有して構成されている。前記液晶パネル２６は、例えばいわゆるＶＡ（Vertical Alignment）タイプ、ＴＮ（Twisted Nematic）タイプ、ＥＣＢ（Electrically Controlled Birefringence）タイプなどのＬＣＤパネルである。前記ＬＣＤドライバ２４は、前段のディスプレイコントロール部１１から供給されたＬＣＤ駆動信号を前記液晶パネル２６へ供給するとともに、前記ディスプレイコントロール部１１から供給された画像データにより前記液晶パネル２６の各ピクセルを動作させる。また、ＬＥＤ２５は、前記ディスプレイコントロール部１１のＬＥＤドライバ２３から供給されたＬＥＤ駆動電流により発光する。これにより、液晶パネル２６には、前記画像データに基づく画像が表示される。
【００３７】
なお、本実施形態のディスプレイ装置１において、ＬＣＤコントローラ２２の機能はＣＰＵ部１０が担っても良く、その場合、ＣＰＵ部１０からは前記画像データと前記ＬＣＤ駆動信号が出力され、それらがＬＣＤドライバ２４へ供給される。
【００３８】
［液晶パネルの特性］
本実施形態のディスプレイ装置１において、前記液晶パネル２６は、前述のようにＶＡタイプ、ＴＮタイプ、ＥＣＢタイプの何れかとなされている。
【００３９】
ここで、液晶パネルがＶＡタイプであるとした場合、当該ＶＡタイプにおける輝度のガンマカーブは、図２に示すように、その液晶パネルを見る際の角度すなわち視野角によって変異する。なお、図２において、横軸は色の階調ｉ、縦軸は輝度Ｙを表し、液晶パネルを正面から見て階調ｉが“０”（黒色）となっている時の輝度Ｙが“０”、正面から見て階調が“２５５”（白色）となっている時の輝度Ｙが“１”となされている。また、この図２において、図中実線で示す曲線は、当該液晶パネルを正面から見た正面視の場合のガンマカーブを表し、図中の点線で示す曲線は、当該液晶パネルを斜めから見た斜め視の場合のガンマカーブを表している。
【００４０】
この図２に示すように、ＶＡタイプの液晶パネルは、斜め視の場合のガンマカーブと正面視の場合のガンマカーブとを比較すると、低階調側では斜め視のガンマカーブの輝度差が正面視のガンマカーブの輝度差よりも大きくなり、一方、高階調側では斜め視のガンマカーブの輝度差が正面視のガンマカーブの輝度差よりも小さくなる。すなわち言い換えると、低階調側では、正面視のガンマカーブの接線の角度よりも斜め視のガンマカーブの接線の角度の方が大きいため、当該低階調側における或る階調ｉｘ０と階調ｉｘ１の間の輝度差は、正面視の場合の輝度差ｙａよりも斜め視の場合の輝度差ｙｂの方が大きくなる。一方、高階調側では、正面視のガンマカーブの接線の角度よりも斜め視のガンマカーブの接線の角度の方が小さいため、当該高階調側における或る階調ｉｘ２と階調ｉｘ３の間の輝度差は、正面視の場合の輝度差ｙｃよりも斜め視の場合の輝度差ｙｄの方が大きくなる。
【００４１】
なお、図２の例は、ＶＡタイプのみを例に挙げたが、前記ＴＮタイプ、ＥＣＢタイプも同様の特性を有している。
【００４２】
［液晶パネルの視野角特性を活かした視野角制御］
本実施形態のディスプレイ装置は、前述のような液晶パネルの視野角特性を活かすことにより、正面視の際には液晶パネル２６上の表示画像を何ら問題なく見ることができる状態とし、一方、斜め視の際には液晶パネル２６上の表示画像が略々見えない状態にするような視野角制御を可能にしている。
【００４３】
すなわち本実施形態において、当該視野角制御は、液晶パネル２６に表示するオリジナル画像データに対して、低階調側の輝度差は変換前後において略変化しない一方で、高階調側の輝度差は変換前よりも変換後の方が小さくなるようにデータ変換を施すとともに、当該変換後の画像データへ、前記液晶パネル２６の視野角特性に応じた所定の斜め視用画像データを合成し、その合成後の画像データを、前記液晶パネル２６への表示データとすることにより実現している。より具体的に説明すると、本実施形態において、当該視野角制御は、図３に示すように、オリジナル画像データＯＰに対して、後述する変換テーブルを用いて、前記液晶パネル２６の視野角特性に応じた所定のガンマカーブ変換処理を施すとともに、当該ガンマカーブ変換処理後の画像データＣＰへ、前記液晶パネルの視野角特性に応じた所定の斜め視用画像データＳＰを合成し、その合成後の画像データＶＰを、前記液晶パネル２６への表示データとすることにより実現している。
【００４４】
本実施形態においては、前記図３に示す合成後の画像データＶＰを液晶パネル２６に表示することにより、図４に示すように、液晶パネル２６の略々正面に位置するユーザＵＡには、オリジナル画像データＯＰを表示したのと略々同じ表示画像（正面視画像ＶＵＡ）が見えるようになる。一方、前記液晶パネル２６に対して斜めに位置するユーザＵＢ，ＵＣには、図４に示す斜め視画像ＶＵＢ，ＶＵＣのような画像が見えることになり、ユーザＵＡが見ている前記正面視画像ＶＵＡは略々見えない。
【００４５】
なお、本実施形態のディスプレイ装置１は、前記図３及び図４に示したように視野角を狭くすることにより斜めからの盗み見を防ぐ狭視野角モードだけでなく、図５に示すように前記オリジナル画像データＯＰをそのまま液晶パネル２６の表示画像データｖｐにすることで、ユーザＵＡ，ＵＢ，ＵＣに略々同じ画像ｖｕａ，ｖｕｂ，ｖｕｃを見せる広視野角モードも可能となされている。そして、本実施形態のディスプレイ装置１は、それら狭視野角モードと広視野角モードを、ユーザからの指示を基に、若しくはディスプレイ装置１自身の自動制御により、適宜切り替え可能になされている。
【００４６】
［狭視野角モードの際のガンマカーブ変換処理の詳細］
本実施形態において、前記狭視野角モードの際に前記オリジナル画像データＯＰに対して施す所定のガンマカーブ変換処理は、以下のような演算を基に予め生成若しくは用意された変換テーブルを用いて行われる。
【００４７】
図６には、前記ＶＡタイプの液晶パネルが備えているガンマカーブと、前記所定のガンマカーブ変換演算後のガンマカーブとを示す。なお、図６において、横軸は色の階調ｉ、縦軸は輝度Ｙを表し、液晶パネルを正面から見て階調ｉが“０”（黒色）となっている時の輝度Ｙが“０”、正面から見て階調が“２５５”（白色）となっている時の輝度Ｙが“１”となされている。また、この図６において、図中実線で示す曲線は、前記図２同様に当該液晶パネルを正面から見た正面視の場合のガンマカーブ変換演算前のガンマカーブを表し、図中の点線で示す曲線は、前記図２同様に当該液晶パネルを斜めから見た斜め視の場合のガンマカーブ変換演算前のガンマカーブを表している。また、この図６において、図中一点鎖線で示す曲線は、当該液晶パネルを正面から見た正面視の場合のガンマカーブ変換演算後のガンマカーブを表し、図中の二点鎖線で示す曲線は、当該液晶パネルを斜めから見た斜め視の場合のガンマカーブ変換演算後のガンマカーブを表している。
【００４８】
ここで、ガンマカーブ変換演算は、下記式（１）〜式（４）により表される。但し、下記式中のｉは広視野角モード時に入力する色の階調（０〜２５５の範囲）を表し、Ｙcal(i)は変換演算後のｉ階調目の輝度を、Ｙdef(i)は変換演算前のｉ階調目の液晶パネルの実際の輝度を、ＣＲcalは表示する疑似的コントラスト値（本実施形態ではコントラスト値は例えば１０未満とする。）を表している。
【００４９】
Ｙcal(i)＝Ａ×Ｙdef(i)＋Ｂ                                      …(1)
Ａ＝（Ｙdef(255)−Ｃ）／（Ｙdef(255)−Ｙdef(0)）                …(2)
Ｂ＝｛（Ｃ−Ｙdef(0)）×Ｙdef(255)｝／（Ｙdef(255)−Ｙdef(0)）  …(3)
Ｃ＝Ｙdef(255) ／ＣＲcal                                        …(4)
そして、前記式（１）〜式（４）において、Ｙcal(i)をｉ＝０〜２５５階調まで求める。
【００５０】
その後、下記式（５）となるように、階調ｊと階調ｉの変換テーブルを算出する。但し、下記式中、ｊは狭視野角モード時に入力する色の階調（０〜２５５の範囲）を示し、それら階調ｊと階調ｉは図７に示す関係を有する。なお、図７において、横軸は広視野角モードの時の階調をｉ、横軸は狭視野角モードの時の階調ｊを示しており、それら階調は０〜２５５の範囲を有する。
【００５１】
Ｙcal(i）≒Ｙdef(j)       …(5)
その後、本実施形態において、前記狭視野角モードの時には、前述のような階調と輝度の対応を表した前記変換テーブルを用い、下記式（６）により、前記オリジナル画像データＯＰに対してガンマカーブ変換処理が施された、前記ガンマカーブ変換処理後の画像データＣＰを生成する。
【００５２】
ｊ＝Ｘ(i）                …(6)
本実施形態において、前記ガンマカーブ変換処理の前後のガンマカーブを比較すると、図６に示すように、正面視の場合のガンマカーブは、前記ガンマカーブ変換処理前の輝度Ｙdef(i)に対してガンマカーブ変換処理後の輝度Ｙcal(i)が高くなされている。また、斜め視の場合のガンマカーブは、低階調側では前記ガンマカーブ変換処理前後における輝度差がさほど変わっていないに対し、高階調側ではガンマカーブ変換処理前の輝度差に対してガンマカーブ変換処理後の輝度差が小さくなされている。すなわち、前述の図２と同様に、前記低階調側の階調ｉｘ０から階調ｉｘ１の間の輝度差と、高階調側の階調ｉｘ２から階調ｉｘ３の間の輝度差とを例に挙げた場合、低階調側では、前記ガンマカーブ変換処理前の輝度差ｙｂとガンマカーブ変換処理後の輝度差ｙｂ'はさほど変わっていないが、高階調側では、前記ガンマカーブ変換処理前の輝度差ｙｄに対してガンマカーブ変換処理後の輝度差ｙｄ'が小さくなっている。
【００５３】
これにより、本実施形態のディスプレイ装置１によれば、狭視野角モードの時には、前記図４に示したように、前記正面視画像ＶＵＡは見やすい一方で、斜め視画像ＶＵＢ，ＶＵＣは輝度差が少なく非常に見え難くなる。また、本実施形態のディスプレイ装置１によれば、狭視野角モードの時、正面視のガンマカーブについて前記ガンマカーブ変換処理前よりも変換処理後の輝度が高くなるようにし、また、斜め視のガンマカーブについて低階調側で前記ガンマカーブ変換処理前後の輝度差を殆ど変えないようにしているため、前記斜め視用画像データＳＰを合成した時に、画像自体が暗くなって正面視の画像が見難くなってしまうのを防止している。
【００５４】
［狭視野角モード時の斜め視用画像データ］
本実施形態において、前記狭視野角モードの際に、前記ガンマカーブ変換処理後の画像データＣＰに対して合成される前記所定の斜め視用画像データＳＰは、例えば以下のような画像データとして予め用意しておく。なお、以下の説明において、画像データの階調は０〜２５５階調まで取り得るものとする。
【００５５】
本実施形態の斜め視用画像データＳＰは、例えば０〜３０階調からなる画像とする。なお、前記３０階調は一例であり、それ以外の階調でもよく、使用する液晶パネルにより適宜最適な値を用いることが望ましい。また、前記０〜３０階調のうち、当該斜め視用画像データとして使用する階調は、０階調と３０階調のみとする。このように０階調と３０階調のみを使用することで、当該斜め視用画像データＳＰは、前記狭視野角モードにおいて液晶パネル２６を斜め方向から見た場合に、その表示画像をより見難くすることができる。
【００５６】
また、本実施形態の斜め視用画像データＳＰは、モノクロ画像とする。このように、斜め視画像データＳＰとしてモノクロ画像を用いることにより、正面視の際の表示画像が当該斜め視用画像データＳＰにより劣化して見難くなるのを防ぐことができる。
【００５７】
さらに、本実施形態の斜め視用画像データＳＰは、例えば幾何学的な模様や文字、写真など何れの画像データでもよく制限はない。
【００５８】
［ガンマカーブ変換処理後の画像データと斜め視用画像データの合成処理］
本実施形態のディスプレイ装置１は、前記狭視野角モードの際には、前記ガンマカーブ変換処理後の画像データＣＰと前記斜め視用画像データＳＰを合成し、その合成後の画像データＶＰを、前記液晶パネル２６への表示データとしている。
【００５９】
以下、前記画像データの合成処理について、図８〜図１１を参照しながら説明する。
【００６０】
図８〜図１１には、それぞれディスプレイ装置の液晶パネルにおける画素配列を示す。
【００６１】
図８は、液晶パネルにおける通常の画素配列を示している。すなわちこの図８に示すように、液晶パネルの１ピクセルは、Ｒ（赤色），Ｇ（緑色），Ｂ（青色）の三色に対応した第一〜第三の三つのサブピクセルにより構成されている。なお、本実施形態では、第一サブピクセルの色がＲ、第二サブピクセルの色がＧ、第三サブピクセルの色がＢであるとする。
【００６２】
ここで、以下の説明では、前記画素配列のｎ行目ｍ列目（ｎ，ｍは１以上の自然数）のピクセルの第一〜第三の三つのサブピクセルをそれぞれ（ｎ，ｍ，色）により表すとする。すなわち本実施形態において、例えば、一行目一列目のピクセルの第一サブピクセルは（１，１，Ｒ）として表され、一行目一列目のピクセルのＧのサブピクセルは（１，１，Ｇ）として表され、一行目一列目のピクセルのＢのサブピクセルは（１，１，Ｂ）として表される。同様に、例えば、二行目三列目のピクセルのＲのサブピクセルは（２，３，Ｒ）、二行目三列目のピクセルのＧのサブピクセルは（２，３，Ｇ）、二行目三列目のピクセルのＢのサブピクセルは（２，３，Ｂ）として表される。なお、他の行及び列の各ピクセル及びサブピクセルも同様に表される。
【００６３】
また、本実施形態において、前記モノクロ画像となされている斜め視用画像データＳＰのピクセルは、一つのピクセルを構成する第一〜第三の三つのサブピクセルが全て同じ階調となされている。なお、当該斜め視用画像データＳＰの一つのピクセルを構成する第一〜第三の三つのサブピクセルは、前記Ｒ，Ｇ，Ｂの三つのサブピクセルに対応して配置されている。そして、当該斜め視用画像データＳＰの前記第一〜第三のサブピクセルにおけるモノクロ階調を“Ｋ”により表した場合、例えばｎ行目ｍ列目のピクセルの第一〜第三の三つのサブピクセルは、それぞれ（１，１，Ｋ）のように表される。なお、本実施形態の場合、前記斜め視用画像データＳＰは、前述したように例えば０階調と３０階調からなるデータとなされている。したがって、前記０階調をＫ＝“0k”で表し、前記３０階調をＫ＝“30k”で表すことにした場合、例えばｎ行目ｍ列目のピクセルの第一〜第三の三つのサブピクセルは、それぞれ（１，１，0k）若しくは（１，１，30k）のように表される。
【００６４】
さらに本実施形態において、斜め視用画像データＳＰは、一例として、ｑ行ｑ列分からなるｑ×ｑ画素（ｑは１以上の自然数）のマクロピクセル毎に、前記０階調と３０階調が交互に配列されて形成されている。図９には、一例として、二行二列分の２×２＝４画素からなるマクロピクセル毎に前記０階調と３０階調が交互に配列されている例を示している。すなわち、この図９に例の場合、一行目一列目および一行目二列目，二行目一列目，二行目二列目の４ピクセルからなるマクロピクセルは、各ピクセル内の第一〜第三のサブピクセルがそれぞれ０階調（“0k”）となされ、一行目三列目および一行目四列目，二行目三列目，二行目四列目の４ピクセルからなるマクロピクセルは、それぞれ第一〜第三のサブピクセルが３０階調（“30k”）となされ、以下同様に、三行目一列目および三行目二列目，四行目一列目，四行目二列目の４ピクセルからなるマクロピクセルは、それぞれ第一〜第三のサブピクセルが０階調（“0k”）、三行目三列目および三行目四列目，四行目三列目，四行目四列目の４ピクセルからなるマクロピクセルは、それぞれ第一〜第三のサブピクセルが３０階調（“30k”）となされている。なお、他の行及び列の各ピクセル及びサブピクセルも同様に表される。
【００６５】
図１０には、前記ガンマカーブ変換処理後の画像データＣＰと前記斜め視用画像データＳＰの第一の合成処理例として、１サブピクセル毎に前記ガンマカーブ変換処理後の画像データＣＰと斜め視用画像データＳＰを交互に組み合わせることで、前記合成処理後の画像データＶＰを生成する場合の各ピクセルを示す。
【００６６】
すなわちこの図１０に示す第一の合成処理例では、ｎとｍが共に奇数、若しくは、ｎとｍが共に偶数のピクセルについては、
【００６７】
ＶＰ（ｎ，ｍ，Ｒ）＝ＣＰ（ｎ，ｍ，Ｒ）
ＶＰ（ｎ，ｍ，Ｇ）＝ＳＰ（ｎ，ｍ，Ｋ）
ＶＰ（ｎ，ｍ，Ｂ）＝ＣＰ（ｎ，ｍ，Ｂ）
となされ、ｎが奇数でｍが偶数、若しくは、ｎが偶数でｍが奇数のピクセルについては、
【００６８】
ＶＰ（ｎ，ｍ，Ｒ）＝ＳＰ（ｎ，ｍ，Ｋ）
ＶＰ（ｎ，ｍ，Ｇ）＝ＣＰ（ｎ，ｍ，Ｇ）
ＶＰ（ｎ，ｍ，Ｂ）＝ＳＰ（ｎ，ｍ，Ｋ）
となされる。
【００６９】
これにより、前記合成処理後の画像データＶＰは、図１０に示すように、一行目一列目および一行目二列目，二行目一列目，二行目二列目の４ピクセルについては、前記ガンマカーブ変換処理後の画像データＣＰと斜め視用画像データＳＰの０階調（“0k”）のデータが、１サブピクセル毎に交互に配列されるようになる。また、一行目三列目および一行目四列目，二行目三列目，二行目四列目の４ピクセルについては、前記ガンマカーブ変換処理後の画像データＣＰと斜め視用画像データＳＰの３０階調（“30k”）のデータが、１サブピクセル毎に交互に配列されるようになる。以下同様に、三行目一列目および三行目二列目，四行目一列目，四行目二列目の４ピクセルについては、前記ガンマカーブ変換処理後の画像データＣＰと斜め視用画像データＳＰの３０階調（“30k”）のデータが１サブピクセル毎に交互に配列され、三行目三列目および三行目四列目，四行目三列目，四行目四列目の４ピクセルについては、前記ガンマカーブ変換処理後の画像データＣＰと斜め視用画像データＳＰの０階調（“0k”）のデータが１サブピクセル毎に交互に配列されることになる。他の行及び列の各ピクセル及びサブピクセルも同様に配列される。
【００７０】
なお、第一の合成処理例において、ｎとｍが共に奇数、若しくは、ｎとｍが共に偶数のピクセルについては、
【００７１】
ＶＰ（ｎ，ｍ，Ｒ）＝ＳＰ（ｎ，ｍ，Ｋ）
ＶＰ（ｎ，ｍ，Ｇ）＝ＣＰ（ｎ，ｍ，Ｇ）
ＶＰ（ｎ，ｍ，Ｂ）＝ＳＰ（ｎ，ｍ，Ｋ）
とし、ｎが奇数でｍが偶数、若しくは、ｎが偶数でｍが奇数のピクセルについては、
【００７２】
ＶＰ（ｎ，ｍ，Ｒ）＝ＣＰ（ｎ，ｍ，Ｒ）
ＶＰ（ｎ，ｍ，Ｇ）＝ＳＰ（ｎ，ｍ，Ｋ）
ＶＰ（ｎ，ｍ，Ｂ）＝ＣＰ（ｎ，ｍ，Ｂ）
としてもよい。
【００７３】
図１１には、前記ガンマカーブ変換処理後の画像データＣＰと前記斜め視用画像データＳＰの第二の合成処理例として、１ピクセル毎に前記ガンマカーブ変換処理後の画像データＣＰと斜め視用画像データＳＰを交互に組み合わせることで、前記合成処理後の画像データＶＰを生成する場合の各ピクセルを示す。
【００７４】
すなわちこの図１１に示す第二の合成処理例では、ｎとｍが共に奇数、若しくは、ｎとｍが共に偶数のピクセルについては、
【００７５】
ＶＰ（ｎ，ｍ，Ｒ）＝ＣＰ（ｎ，ｍ，Ｒ）
ＶＰ（ｎ，ｍ，Ｇ）＝ＣＰ（ｎ，ｍ，Ｇ）
ＶＰ（ｎ，ｍ，Ｂ）＝ＣＰ（ｎ，ｍ，Ｂ）
となされ、ｎが奇数でｍが偶数、若しくは、ｎが偶数でｍが奇数のピクセルについては、
【００７６】
ＶＰ（ｎ，ｍ，Ｒ）＝ＳＰ（ｎ，ｍ，Ｋ）
ＶＰ（ｎ，ｍ，Ｇ）＝ＣＰ（ｎ，ｍ，Ｋ）
ＶＰ（ｎ，ｍ，Ｂ）＝ＳＰ（ｎ，ｍ，Ｋ）
となされる。
【００７７】
これにより、前記合成処理後の画像データＶＰは、図１１に示すように、一行目一列目および一行目二列目，二行目一列目，二行目二列目の４ピクセルについては、一行目一列目および二行目二列目の２ピクセルに前記ガンマカーブ変換処理後の画像データＣＰが配され、一行目二列目および二行目一列目の２ピクセルに前記斜め視用画像データＳＰの０階調（“0k”）が配される。また、一行目三列目および一行目四列目，二行目三列目，二行目四列目の４ピクセルについては、一行目三列目および二行目四列目の２ピクセルに前記ガンマカーブ変換処理後の画像データＣＰが配され、一行目四列目および二行目三列目の２ピクセルに前記斜め視用画像データＳＰの３０階調（“30k”）が配される。以下同様に、三行目一列目および三行目二列目，四行目一列目，四行目二列目の４ピクセルについては、三行目一列目および四行目二列目の２ピクセルに前記ガンマカーブ変換処理後の画像データＣＰが配され、四行目一列目および三行目二列目の２ピクセルに前記斜め視用画像データＳＰの３０階調（“30k”）が配される。また、三行目三列目および三行目四列目，四行目三列目，四行目四列目の４ピクセルについては、三行目三列目および四行目四列目の２ピクセルに前記ガンマカーブ変換処理後の画像データＣＰが配され、三行目四列目および四行目三列目の２ピクセルに前記斜め視用画像データＳＰの０階調（“0k”）が配される。他の行及び列の各ピクセル及びサブピクセルも同様に配列される。
【００７８】
なお、第二の合成処理例において、ｎとｍが共に奇数、若しくは、ｎとｍが共に偶数のピクセルについては、
【００７９】
ＶＰ（ｎ，ｍ，Ｒ）＝ＳＰ（ｎ，ｍ，Ｋ）
ＶＰ（ｎ，ｍ，Ｇ）＝ＣＰ（ｎ，ｍ，Ｋ）
ＶＰ（ｎ，ｍ，Ｂ）＝ＳＰ（ｎ，ｍ，Ｋ）
となされ、ｎが奇数でｍが偶数、若しくは、ｎが偶数でｍが奇数のピクセルについては、
【００８０】
ＶＰ（ｎ，ｍ，Ｒ）＝ＣＰ（ｎ，ｍ，Ｒ）
ＶＰ（ｎ，ｍ，Ｇ）＝ＣＰ（ｎ，ｍ，Ｇ）
ＶＰ（ｎ，ｍ，Ｂ）＝ＣＰ（ｎ，ｍ，Ｂ）
としてもよい。
【００８１】
［携帯電話端末の概略構成］
図１２には、本実施形態のディスプレイ装置を備えた携帯電話端末の概略的な内部構成例を示す。
【００８２】
図１２において、通信アンテナ５１は、例えば内蔵アンテナであり、通話や電子メールの送受信、携帯電話網を通じてインターネット等と通信するための信号電波の送受信を行う。アンテナ回路５２は、アンテナ切替器やマッチング回路、フィルタ回路等からなり、送受信回路部５３は、送受信信号の周波数変換、変調と復調等を行う。本実施形態の携帯電話端末は、当該通信アンテナ５１及び送受信回路部５２による通信を通じて、各種データやアプリケーションプログラムを取得可能となされている。
【００８３】
音声入出力部６３は、スピーカとその周辺回路、および、マイクロホンとその周辺回路からなる。スピーカとその周辺回路は、携帯電話端末に設けられている受話用のスピーカやリンガ（着信音）、アラーム音、各種音声メッセージ等の出力用スピーカおよびその周辺回路であり、制御・演算部５４から供給された音声信号を音響波に変換して空気中に出力する。マイクロホンとその周辺回路は、送話用及び外部音声集音用のマイクロホンおよびその周辺回路であり、音響波を音声信号に変換し、その音声信号を制御・演算部５４へ送る。前記周辺回路は、スピーカ用の増幅回路、マイクロホン用の増幅回路、制御・演算部５４から供給される圧縮符号化された音声データを伸張復号化する伸張復号化回路、当該伸張復号化後のデジタル音声データをアナログ音声信号に変換するデジタル／アナログ変換回路、マイクロホンから入力されたアナログ音声信号をデジタル音声データに変換するアナログ／デジタル変換回路、当該デジタル音声データを圧縮符号化する圧縮符号化回路などからなる。
【００８４】
ディスプレイ部６２は、前述の図１に示したディスプレイ部１２に対応し、前記液晶パネル２６、ＬＣＤドライバ２４、ＬＥＤ２５等からなる。
【００８５】
表示制御・駆動部６１は、前述の図１に示したディスプレイコントロール部１１に対応し、前記ＬＣＤコントローラ２２、ＬＥＤドライバ２３等からなる。
【００８６】
操作部６５は、本実施形態の携帯電話端末の図示しない筐体上に設けられているテンキーや発話キー、終話／電源キー等の各キーや十字キー，ジョグダイヤル等の各操作子と、それら操作子が操作された時の操作信号を発生する操作信号発生器とからなる。また、本実施形態の携帯電話端末の場合、操作部６５には、タッチパネルも含まれる。当該タッチパネルは、例えば透明タッチパネルとなされており、前記ディスプレイ部６２の液晶パネル２６の画面上に配されている。
【００８７】
外部入出力端子部６４は、例えばケーブルを通じてデータ通信を行う際のケーブル接続用コネクタと外部データ通信用インターフェース回路や、電源ケーブル等を通じて内部電池を充電する際の充電端子とその充電用インターフェース回路などからなる。これにより、本実施形態の携帯電話端末は、外部入出力端子部６４を通じて、各種データやアプリケーションプログラムを取り込み可能となされている。
【００８８】
外部メモリＩ／Ｆ部５７は、外部メモリが着脱される外部メモリ用スロットと当該外部メモリデータ通信用インターフェース回路などからなる。これにより、本実施形態の携帯電話端末は、外部メモリを通じて各種データやアプリケーションプログラムを取り込み可能となされている。
【００８９】
デジタル放送受信モジュール５６は、いわゆるデジタルテレビジョン放送やデジタルラジオ放送などの受信用アンテナとチューナとからなる。なお、当該デジタル放送受信モジュール５６にて受信されたデジタル放送データは、例えば制御・演算部５４により圧縮等された後、メモリ部５５等に記憶（つまり録画）することも可能となされている。本実施形態の携帯電話端末は、ディスプレイ放送を通じて提供される各種データやアプリケーションプログラムを、当該デジタル放送受信モジュール５６を通じて取得することも可能となされている。
【００９０】
メモリ部５５は、この端末の内部に設けられている内蔵メモリと、いわゆるＳＩＭ（Subscriber Identity Module）情報等を格納する着脱可能なカード状メモリなどからなる。内蔵メモリは、ＲＯＭ（Read Only Memory）とＲＡＭ（Random Access Memory）とからなる。前記ＲＯＭは、ＯＳ（Operating System）、前記制御・演算部５４が各部を制御するための制御プログラム、自端末の機器情報、各種の初期設定値、辞書データ、各種音データ、各種アプリケーションプログラム等を格納している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳やメールアドレス帳のデータ、静止画像や動画像コンテンツのデータ、その他、各種のユーザ設定値等を保存可能となされている。なお、当該メモリ部５５に格納されている各種データやアプリケーションプログラムは、予め用意されているものだけでなく、前記通信や外部メモリ、外部入出力端子等を介して取得したデータやアプリケーションプログラムも含む。ＲＡＭは、制御・演算部５４が各種のデータ処理を行う際の作業領域、バッファ領域として随時データを格納する。
【００９１】
また、図示は省略しているが、本実施形態の携帯情報端末１は、無線ＬＡＮやブルートゥース（登録商標）などの近距離無線通信モジュールや、静止画像や動画像の撮影のためのカメラ部Ｍ、例えばいわゆるＲＦＩＤ（Radio Frequency-Identification：電波方式認識）や非接触型ＩＣカード等で用いられる非接触通信を行う非接触通信モジュール、自端末の現在位置や移動を検知するためのＧＰＳ（Global Positioning System）モジュール、加速度や方角、温度や湿度などを検知するための各種センサ、時間や時刻を計測する時計部、各部へ電力を供給するバッテリとその電力をコントロールするパワーマネージメントＩＣなど、一般的な携帯情報端末に設けられる各構成要素についても当然ながら備えている。
【００９２】
制御・演算部５４は、前記図１に示したＣＰＵ部１０に対応し、前記送受信回路部５３、表示制御・駆動部６１、音声入出力部６３、外部入出力端子部６４、デジタル放送受信モジュール５６、外部メモリＩ／Ｆ部５７、ＧＰＳモジュール、非接触通信モジュール、近距離無線通信モジュール、カメラ部、各種センサ部、操作部６５など各部を制御し、また必要に応じて各種の演算を行う。また、制御・演算部５４は、メモリ部５５に記憶されている制御プログラムや各種アプリケーションプログラムを実行する。
【００９３】
［視野角制御用のアプリケーションプログラムの取得時の動作フロー］
本実施形態において、前述したような視野角制御を実現するための視野角制御用アプリケーションプログラムは、携帯電話端末の工場出荷時に用意されていても良いが、例えば前記通信や外部メモリ、外部入出力端子等を介して別途取得することも可能となされている。
【００９４】
図１３には、本実施形態の携帯電話端末が前記視野角制御用アプリケーションプログラムを取得し、その視野角制御用アプリケーションプログラムを前記制御・演算部５４が実行する際の処理の流れを示す。なお、この場合の視野角制御用アプリケーションプログラムは、ユーザからの指示に応じて起動するものであっても良いし、電源立ち上げ時に自動的に起動するものであってもよい。
【００９５】
図１３に示すフローチャートにおいて、制御・演算部５４は、視野角制御用アプリケーションプログラムが起動すると、先ずステップＳ１の処理として、視野角制御のための初期設定が既に完了しているか否か判定する。ここで、当該視野角制御のための初期設定とは、一例として、本実施形態の携帯電話端末に搭載されている液晶パネルが前記ＶＡ，ＴＮ，ＥＣＢタイプの何れであるかを表すディスプレイタイプ設定と、当該液晶パネルが有する視野角特性に対して前記視野角制御に最適なガンマ変換処理を実行可能な前記変換テーブルの使用設定と、当該液晶パネルが有する視野角特性に対して前記視野角制御に最適な斜め視用画像データの使用設定等を挙げることができる。すなわち、液晶パネルの視野角特性は、ＶＡ，ＴＮ，ＥＣＢのタイプ毎に異なり、また、当該液晶パネルの製造会社や製造ロット，機種毎にもそれぞれ異なる。したがって、前記視野角制御のためのガンマ変換処理用の変換テーブルや斜め視用画像データは、それぞれ前記液晶パネルの視野角特性毎に最適なものを用いることが望ましい。このため、本実施形態において、視野角制御用のアプリケーションプログラムを実行する際には、携帯電話端末に搭載されている液晶パネルのタイプおよび視野角特性において、前記視野角制御に最適化された前記ガンマ変換処理用の変換テーブルおよび斜め視用画像データを用いるように初期設定が行われる。このステップＳ１の判定処理において、例えば初期設定済みフラグ等を見ることにより、前記視野角制御のための初期設定が未だなされていないと判定した場合、制御・演算部５４はステップＳ２へ処理を進める。なお、視野角制御の初期設定が未だなされていない状態とは、例えば前記視野角制御用アプリケーションプログラムをユーザが別途取得して本実施形態の携帯電話端末にインストールした後、初めて当該プログラムを立ち上げた時などを挙げることができる。
【００９６】
ステップＳ２の処理に進むと、制御・演算部５４は、前記メモリ部５５に保存されている機器情報を基に、自端末の機種名やディスプレイタイプ等を判定する。なお、前記機器情報に自端末の機種名やディスプレイタイプ等の情報が含まれていない場合、制御・演算部５４は、例えば、前記送受信回路部５３を通じて自端末が加入している携帯電話サービスセンタ等へ接続し、その携帯電話サービスセンタ等へ自端末の機種名やディスプレイタイプ等を問い合わせることなどにより判定してもよい。当該機種名やディスプレイタイプの判定処理後、制御・演算部５４は、ステップＳ３へ処理を進める。
【００９７】
ステップＳ３の処理に進むと、制御・演算部５４は、自端末の機種名とディスプレイタイプに対して最適な斜め視用画像データ、すなわち自端末が搭載している液晶パネルの視野角特性に対し、前記視野角制御に最適な斜め視用画像データを取得する。同時に、制御・演算部５４は、ステップＳ４の処理として、自端末の機種名とディスプレイタイプに最適なガンマカーブ変換処理用の変換テーブル、すなわち自端末が搭載している液晶パネルの視野角特性に対し、前記視野角制御に最適な変換テーブルを取得する。この時の制御・演算部５４は、一例として、自端末が加入している携帯電話サービスセンタ等へ接続し、その携帯電話サービスセンタ等から、前記自端末の機種名とディスプレイタイプに最適な斜め視用画像データと変換テーブルを取得する。すなわち、この例の場合、携帯電話サービスセンタには、各機種毎およびディスプレイタイプ毎にそれぞれ視野角制御に最適な斜め視用画像データおよび変換テーブルが用意されており、携帯電話端末からそれらの取得要求がなされた時、その端末の機種名とディスプレイタイプに最適な斜め視用画像データおよび変換テーブルを、当該携帯電話端末へ提供する。なお、前記各機種毎およびディスプレイタイプ毎にそれぞれ最適な斜め視用画像データおよび変換テーブルは、視野角制御用アプリケーションプログラム内に予め用意されていてもよい。この場合の制御・演算部５４は、当該プログラム内に予め用意されている複数の斜め視用画像データおよび変換テーブルの中から、自端末の機種名とディスプレイタイプにおいて視野角制御に最適な斜め視用画像データと変換テーブルを選択する。
【００９８】
前記自端末の機種名とディスプレイタイプに最適な斜め視用画像データと変換テーブルの取得が完了すると、制御・演算部５４は、ステップＳ５の処理として、それら取得した斜め視用画像データと変換テーブルを前記メモリ部５５の不揮発性記憶領域へ保存する。そして、制御・演算部５４は、視野角制御のための初期設定が完了していることを表す初期設定済みフラグを立てた後、ステップＳ１へ処理を戻す。
【００９９】
ステップＳ１の処理において、初期設定済みフラグが立っていて、前記視野角制御のための初期設定が完了していると判定すると、制御・演算部５４は、ステップＳ１０へ処理を進める。
【０１００】
ステップＳ１０の処理に進むと、制御・演算部５４は、現時点における視野角制御モードが前述した狭視野角モードか広視野角モードの何れになされているか判定する。これら視野角制御モードは、前述したように、ユーザからの指示を基に、若しくは制御・演算部５４自身の制御により適宜切り替え可能になされている。
【０１０１】
前記ステップＳ１０において、広視野角モードであると判定した場合、制御・演算部５４は、ステップＳ１４へ処理を進め、前述の図５に示したように、前記オリジナル画像データＯＰをそのまま液晶パネル２６の表示画像データｖｐにすることで、ユーザＵＡ，ＵＢ，ＵＣに略々同じ画像ｖｕａ，ｖｕｂ，ｖｕｃを見せる広視野角モードでの表示を行わせる。当該ステップＳ１４の処理後、前記制御・演算部５４は、ステップＳ１０へ処理を戻す。
【０１０２】
一方、ステップＳ１０において、狭視野角モードであると判定した場合、制御・演算部５４は、ステップＳ１１へ処理を進める。
【０１０３】
ステップＳ１１の処理に進むと、制御・演算部５４は、前述の図３に示したように、前記ガンマカーブ変換処理のための変換テーブルを用いて、前記オリジナル画像データＯＰに対してガンマカーブ変換処理を施す。
【０１０４】
そして、制御・演算部５４は、ステップＳ１２の処理として、当該ガンマカーブ変換処理後の画像データＣＰへ、前記斜め視用画像データＳＰを組み合わせて合成する。
【０１０５】
その後、制御・演算部５４は、ステップＳ１３の処理として、前記合成後の画像データＶＰを、前記液晶パネル２６への表示データとする。これにより、ディスプレイ画面上には、前記狭視野角モードでの画像表示がなされる。当該ステップＳ１３の処理後、制御・演算部５４は、ステップＳ１０へ処理を戻す。
【０１０６】
［まとめ］
以上説明したように、本発明実施形態によれば、狭視野角モードの時、横からの覗き見に対して高い防止効果を得ることができる。また、本実施形態において、狭視野角モードの時の表示画像は、予め用意された変換テーブルを参照したガンマカーブ変換処理後の画像データと予め用意された斜め視用画像データとを組み合わせた合成画像となされている。すなわち、本実施形態によれば、ガンマカーブ変換処理と画像データの組み合わせの際に演算が不要であるため、ＣＰＵへの負担が少なく、新たな演算のための構成や高性能なＣＰＵを用いる必要がなく、追加コストは殆ど発生しない。また、本実施形態によれば、液晶パネルの視野角特性を考慮した視野角制御が行われるため、狭視野角モードの時、斜め視に対しては高い盗み見防止効果を得ることができる一方で、正面視画像の画質は殆ど劣化することがなく、非常に見やすい正面視画像を得ることができる。さらに本実施形態によれば、狭視野角モードと広視野角モードを適宜切り替えることができる。
【０１０７】
なお、前述した実施形態の説明は、本発明の一例である。このため、本発明は前述した実施形態に限定されることなく、本発明に係る技術的思想を逸脱しない範囲であれば、設計等に応じて種々の変更が可能であることはもちろんである。
【０１０８】
本発明のディスプレイ装置は、携帯電話端末の他、例えばＰＤＡ（Personal Digital Assistant）や小型のノート型パーソナルコンピュータ、携帯ゲーム機、携帯型デジタルテレビジョン受信機、携帯ナビゲーション端末などにも適用可能である。
【符号の説明】
【０１０９】
１…ディスプレイ装置、１０…ＣＰＵ部、１１…ディスプレイコントロール部、１２…ディスプレイ部、２２…ＬＣＤコントローラ、２３…ＬＥＤドライバ、２４…ＬＣＤドライバ、２５…ＬＥＤ、２６…液晶パネル
５１…通信アンテナ、５２…アンテナ回路、５３…送受信回路部、５４…制御・演算部、５５…メモリ部、５６…デジタル放送受信モジュール、５７…外部メモリＩ／Ｆ部、６１…表示制御・駆動部、６２…ディスプレイ部、６３…音声入出力部、６４…外部入出力端子部、６５…操作部
ＯＰ…オリジナル画像データ、ＣＰ…ガンマカーブ変換処理後の画像データ、ＳＰ…斜め視用画像データ、ＶＰ…合成後の画像データ、ＵＡ…正面視のユーザ、ＵＢ，ＵＣ…斜め視のユーザ、ＶＵＡ…狭視野角モード時の正面視ユーザが見る正面視画像、ＶＵＢ，ＶＵＣ…狭視野角モード時の斜め視ユーザが見る斜め視画像、ｖｕａ…広視野角モード時の正面視ユーザが見る正面視画像、ｖｕｂ，ｖｕｃ…広視野角モード時の斜め視ユーザが見る斜め視画像
【図１】
2013156594.tif 000003
【図２】
2013156594.tif 000004
【図６】
2013156594.tif 000005
【図７】
2013156594.tif 000006
【図８】
2013156594.tif 000007
【図９】
2013156594.tif 000008
【図１０】
2013156594.tif 000009
【図１１】
2013156594.tif 000010
【図１２】
2013156594.tif 000011
【図１３】
2013156594.tif 000012
【図３】
2013156594.tif 000013
【図４】
2013156594.tif 000014
【図５】
2013156594.tif 000015